(57)【要約】【課題】１種類の大きさの内蓋を用いて内径の異なる弁筐に対応できるようにする。【解決手段】円筒状の弁筐の上端の開口部８の内側に形成された受け部９に載せられて前記開口部を閉じる蓋体７を備えた弁筐において、昇降筒体５の高さ方向中間部内面における内蓋取り付け位置に形成されている段部２５に載せられる円形リング状の内蓋受け金具２４を備え、この内蓋受け金具２４の上面には内蓋受け用の段部２９が形成され、この段部２９にゴムなどの弾性樹脂製の内蓋２６が載せられるように構成した。【選択図】    図１４
2007056551.tif 000002
【特許請求の範囲】
【請求項１】
円筒状の弁筐の上端の開口部の内側に形成された受け部に載せられて前記開口部を閉じる蓋体を備えた弁筐において、弁筐の高さ方向中間部内面における内蓋取り付け位置に形成されている段部に載せられる円形リング状の内蓋受け金具を備え、この内蓋受け金具の上面には内蓋受け用の段部が形成され、この段部にゴムなどの弾性樹脂製の内蓋が載せられるように構成したことを特徴とする弁筐。
【発明の詳細な説明】
【技術分野】
【０００１】
本発明は、例えば地中に埋め込まれた上水管もしくは下水管に取り付けられる開閉弁の取り付け部において地上から開閉弁を操作すべく開閉弁取り付け部の上部に空間を形成するために地中に埋設される鋳鉄製の弁筐に関するものである。
【背景技術】
【０００２】
従来からこの種鋳鉄製の弁筐としては、地中に埋め込まれた上水管もしくは下水管に取り付けられる開閉弁の取り付け部を上方から覆う筒状の本体部と、この本体部の下端の膨らみ部から上側の筒状部の内面の雌ねじ部に螺合する雄ねじ部が外面に形成された昇降筒体と、この昇降筒体の上端の開口部を閉じる蓋体とからなるものが知られている。
【０００３】
そして、これらは地中に埋設され、昇降筒体の上端の開口部の高さ位置が地表面に沿うように調整され、前記昇降筒体の上端の開口部の内側に形成された段差状の受け部に蓋体が載せられる。
【０００４】
さらに、昇降筒体の高さ方向中間部内面にはゴムなどの弾性樹脂製の内蓋が設けられ、それより下方への土、砂などのごみ類が侵入するのを防止するようにしたものが知られている。
【発明の開示】
【発明が解決しようとする課題】
【０００５】
しかしながら、弁筐の内径は１種類のみでなく、複数種類が存在し、その内径の違いに応じた内蓋を作って用意することは不経済であるという問題がある。
本発明の目的は、このような課題を解決するものであり、１種類の大きさの内蓋を用いて内径の異なる弁筐に対応できるようにすることにある。
【課題を解決するための手段】
【０００６】
本発明の請求項１に記載の弁筐は、円筒状の弁筐の上端の開口部の内側に形成された受け部に載せられて前記開口部を閉じる蓋体を備えた弁筐において、弁筐の高さ方向中間部内面における内蓋取り付け位置に形成されている段部に載せられる円形リング状の内蓋受け金具を備え、この内蓋受け金具の上面には内蓋受け用の段部が形成され、この段部にゴムなどの弾性樹脂製の内蓋が載せられるように構成したことを特徴とする。
【発明の効果】
【０００７】
以上のように、本発明の弁筐は、従来内径の小さな弁筐に使用されている１種類の大きさの内蓋が内径の大きな弁筐にも対応できるようになる。
【発明を実施するための最良の形態】
【０００８】
以下、本発明の一実施の形態を、図１〜図１４を用いて具体的に説明する。
図において、１は地中に埋め込まれた上水管もしくは下水管に取り付けられる開閉弁（図示せず）の取り付け部を上方から覆う筒状の本体部で、この本体部１は下端の膨らみ部２から上方に延び内面に雌ねじ部３が形成された円筒状の筒状部４を備えている。５は前記筒状部４の内面の雌ねじ部３に螺合する雄ねじ部６が外面に形成された円筒状の昇降筒体で、この昇降筒体５は前記筒状部４の上端より螺入して昇降可能となっている。７は昇降筒体５の上端の開口部８を閉じる蓋体で、この蓋体７は昇降筒体５の上端の開口部８の内側に形成された段差状の受け部９に載せられる。なお、前記昇降筒体５の上端の高さ位置が地表面に沿うように予め調整されており、蓋体７が昇降筒体５の上端の受け部９に載せられた状態において蓋体７の高さ位置も地表面に沿うようになる。本実施の形態の弁筐は前記本体部１、昇降筒体５、蓋体７によって構成され、これらは全て鋳鉄製である。
【０００９】
次に、前記昇降筒体５と蓋体７との連結構造について説明すると、前記昇降筒体５の内面には前記受け部９の直ぐ下側位置から下方に向かって連結金具１０の下端両側を係合させて連結金具１０の上下方向の移動を案内する２本で一対の縦溝１１が形成されており、この縦溝１１の下端は開放状態に形成され、また縦溝１１の上端には連結金具１０の下端両側が上方へ抜け外れないように係止部１２が形成されている。前記連結金具１０は下端に両側に張り出す爪部１３を備えた板状の下側の連結材１４と、この下側の連結材１４の上端にボルト１５とナット１６により回転可能に枢結され下側の連結材１４よりも長さが若干短い板状の上側の連結材１７とからなり、下側の連結材１４の下端の爪部１３を前記縦溝１１の下端より縦溝１１に嵌入させて連結金具１０を上方にスライドさせ、上側の連結材１７の上端と蓋体７の外周に近い位置の裏面とをボルト１８とナット１９により回転可能に枢結している。さらに詳しくは、前記下側の連結材１４の上端には中央に前記ボルト１５を挿通させる軸受け部２０を備え、前記上側の連結材１７の下端には下側の連結材１４の上端中央の軸受け部２０を両側から挟み前記ボルト１５を挿通させる軸受け部２１を備えており、上側の連結材１７の軸受け部２１で下側の連結材１４の軸受け部２０を両側から挟んだ状態で軸受け部２０，２１にボルト１５を挿通させ、ボルト１５の先端にナット１６を螺合させることにより下側の連結材１４と上側の連結材１７が自在に屈曲するように連結されるものである。また、上側の連結材１７の上端には蓋体７の外周に近い位置の裏面に形成された軸受け部２２を両側から挟む軸受け部２３を備え、上側の連結材１７の軸受け部２３で蓋体７の軸受け部２２を両側から挟んだ状態で軸受け部２２，２３にボルト１８を挿通させ、ボルト１８の先端にナット１９を螺合させることにより上側の連結材１７と蓋体７が自在に屈曲するように連結されるものである。ところで、上側の連結材１７と蓋体７の連結は連結金具１０を縦溝１１に係合させて縦溝１１の上端まで移動させた状態で行なうものであり、上側の連結材１７と蓋体７とを連結した状態で下側の連結材１４を縦溝１１の下端より係合させることができないように連結金具１０、詳しくは下側の連結材１４および上側の連結材１７の長さが設定されている。さらに、下側の連結材１４の下端の爪部１３が縦溝１１の上端の係止部１２に当接した状態において蓋体７は地面に載って昇降筒体５の上端の開口部８が大きく開かれるようになっている。
【００１０】
ところで、本実施の形態では、内径の小さな弁筐の昇降筒体の内部に土、砂などのごみ類が侵入するのを防止するために使用されているゴムなどの弾性樹脂製の内蓋を内径の大きな弁筐の昇降筒体の内部に嵌め込んで使用できるようにするために、２分割される内蓋受け金具２４を、昇降筒体５の高さ方向中間部内面における内蓋取り付け位置に形成されている段部２５に載せ、この内蓋受け金具２４に内蓋２６を載せて内蓋を取り付けるようにしている。詳しくは、内蓋受け金具２４は２つ割り状に作られ、一方の半円リング状の受け金具部材２７の両端に形成された孔部２７ａ，２７ａに他方の半円リング状の受け金具部材２８の両端に形成された爪部２８ａ，２８ａを上方より係合させることにより結合されて円形リング状の内蓋受け金具２４が組み立てられる。この２つの受け金具部材２７，２８からなる内蓋受け金具２４の上面には内蓋受け用の段部２９が形成され、この段部２９に内蓋２６が載せられる。なお、昇降筒体５の内面の段部２５に内蓋受け金具２４を載せるとき、先ず一方の受け金具部材２７を段部２５に載せ、その後他方の受け金具部材２８の両端の爪部２８ａ，２８ａを一方の受け金具部材２７の両端の孔部２７ａ，２７ａに係合させながら他方の受け金具部材２８を段部２５に載せることにより昇降筒体５の内部に内蓋受け金具２４がセットされる。以上のように内蓋受け金具２４の段部２９の外径の大きさは内径の小さな弁筐に使用されている内蓋２６の外径の大きさに合うように構成されている。即ち、従来内径の小さな弁筐に使用されている内蓋２６が内径の大きな弁筐に対応できるようにしたものである。
【００１１】
なお、本実施の形態では本体部１に対して昇降筒体５が螺入して全体長さを調整可能なねじ式弁筐について説明したが、全体の長さ調整ができない一体型の弁筐に対しても実施できることは言うまでもない。
【図面の簡単な説明】
【００１２】
【図１】本発明の一実施の形態における弁筐の分解斜視図である。
【図２】同昇降筒体の上端より内部を見た要部拡大斜視図である。
【図３】同蓋体を裏返して見た拡大斜視図である。
【図４】同連結金具の拡大斜視図である。
【図５】同連結金具に蓋体を連結する状態を示す拡大斜視図である。
【図６】同連結金具に蓋体を連結した状態を示す拡大斜視図である。
【図７】同連結金具に連結された蓋体が閉じた状態を示す弁筐の一部切欠き正面図である。
【図８】同蓋体が開いた状態を示す要部拡大斜視図である。
【図９】同内蓋受け金具の分割した状態を上方から見た斜視図である。
【図１０】同内蓋受け金具の分割した状態を裏向けて見た斜視図である。
【図１１】同内蓋受け金具の組み立て状態を上方から見た斜視図である。
【図１２】同内蓋受け金具の組み立て状態を裏向けて見た斜視図である。
【図１３】同内蓋の斜視図である。
【図１４】同内蓋受け金具を用いて内蓋を昇降筒体の内部にセットした状態を示す弁筐の要部拡大縦断面図である。
【符号の説明】
【００１３】
１      本体部
３      雌ねじ部
４      筒状部
５      昇降筒体
６      雄ねじ部
７      蓋体
８      開口部
９      受け部
２４      内蓋受け金具
２５      段部
２６      内蓋
２７      一方の受け金具部材
２７ａ    孔部
２８      他方の受け金具部材
２８ａ    爪部
２９      段部
【図１】
2007056551.tif 000003
【図２】
2007056551.tif 000004
【図３】
2007056551.tif 000005
【図４】
2007056551.tif 000006
【図５】
2007056551.tif 000007
【図６】
2007056551.tif 000008
【図７】
2007056551.tif 000009
【図８】
2007056551.tif 000010
【図９】
2007056551.tif 000011
【図１０】
2007056551.tif 000012
【図１１】
2007056551.tif 000013
【図１２】
2007056551.tif 000014
【図１３】
2007056551.tif 000015
【図１４】
2007056551.tif 000016